【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
流体試料を評価するための流体アナライザーであって、流体アナライザーが：
流体試料の少なくとも一部を受け取るように適合された光アナライザーであって、流体試料の光学的性質を決定しかつ決定された光学的性質を表す光アナライザー出力信号を送るように構成された、前記光アナライザー； 
流体試料の少なくとも一部を受け取るように適合された組成アナライザーであって、流体試料の成分組成を決定しかつ決定された成分組成を表す組成アナライザー出力信号を送るように構成された、前記組成アナライザー；および
光アナライザーおよび組成アナライザーの各々と連通しているデータプロセッサであって、光アナライザー出力信号と組成アナライザー出力信号を使用して流体試料中の標的成分の量を決定するように構成された、前記データプロセッサ
を備えている、前記流体アナライザー。
【請求項２】
光アナライザーが、光吸収分光計を備えている、請求項１に記載の流体アナライザー。
【請求項３】
組成アナライザーが、ガスクロマトグラフを備えている、請求項１に記載の流体アナライザー。
【請求項４】
組成アナライザーが、光アナライザー出力信号に基づいて構成可能である、請求項１に記載の流体アナライザー。
【請求項５】
光アナライザーと組成アナライザーの各々が、流体試料がその場で得られるように、掘削内で、坑井内の使用に適合されている、請求項１に記載の流体アナライザー。
【請求項６】
流体試料を得る掘削の外で流体試料の少なくとも一部を受け取るように適合された多相流量計、多相流量計から流体試料を受け取る光アナライザーと組成アナライザーの少なくとも１つをさらに備えている、請求項１に記載の流体アナライザー。
【請求項７】
流体試料が、炭化水素を含む、請求項１に記載の流体アナライザー。
【請求項８】
前記データプロセッサーが、光アナライザー出力信号を使用して流体試料中の参照成分の量を決定するように構成されている、請求項１に記載の流体アナライザー。
【請求項９】
前記データプロセッサーが、（１）参照成分の量、（２）組成アナライザー出力信号から得られる参照成分の応答面積、及び（３）組成アナライザー出力信号から得られる標的成分の応答面積を使用して標的成分の量を決定するように構成されている、請求項８に記載の流体アナライザー。
【請求項１０】
データプロセッサが、下記の式に従って標的成分（ＷiGC）の量を決定するように構成されている、請求項９に記載の流体アナライザー：
【数１】
2013079936.tif 000001
式中：ＷiGC＝標的成分の量；
ＡiGC＝組成アナライザー出力信号から得られる標的成分の応答領域；
ＡrefGC＝組成アナライザー出力信号から得られる参照成分の応答領域；
ＷrefIFA＝光アナライザー出力信号から決定される参照成分の量；
ＲiGC＝標的成分のための組成アナライザー検出器応答係数；および
ＲrefGC＝参照成分のための組成アナライザー検出器応答係数。
【請求項１１】
流体を分析する方法であって、
流体試料を受け取る工程；
光分析を使用して流体試料の光学的性質を決定する工程；
光学的性質を使用して流体試料中の参照成分の量を決定する工程；
ガスクロマトグラフ分析を使用して流体試料の成分組成を決定する工程；および
流体試料の成分組成および参照成分の量を使用して標的成分の量を決定する工程
を含む、前記方法。
【請求項１２】
流体試料の光学的性質を決定する工程が、流体試料を光吸収分光分析にかける段階を含む、請求項１１に記載の方法。
【請求項１３】
成分組成を決定する工程が、流体試料のクロマトグラムを作成する段階を含む、請求項１１に記載の方法。
【請求項１４】
成分組成を決定する工程が、クロマトグラム中の標的成分の応答領域と参照成分の応答領域を決定する段階をさらに含む、請求項１３に記載の方法。
【請求項１５】
標的成分を定量化する工程が、アルゴリズムの評価を含む、請求項１４に記載の方法：
【数２】
2013079936.tif 000002
式中：ＷiGC＝標的成分の量；
ＡiGC＝クロマトグラムからの標的成分の応答領域；
ＡrefGC＝クロマトグラムからの参照成分の応答領域；
ＷrefIFA＝参照成分の量；
ＲiGC＝標的成分のためのガスクロマトグラフィー応答係数；および
ＲrefGC＝参照成分のためのガスクロマトグラフィー応答係数。
【請求項１６】
決定された光学的性質から、ＣＨ4成分の質量パーセント；ひとまとめにして、Ｃ2Ｈ6−Ｃ5Ｈ12成分の質量パーセント；ひとまとめにして、Ｃ6+の質量パーセント；地層圧力；地層温度；ガス油比；およびコンデンセートガス比からなる群より選ばれる１つ以上の他の性質を誘導する工程をさらに含む、請求項１１に記載の方法。
【請求項１７】
流体試料を受け取り、光学的性質を決定し、成分組成を決定する行為が、掘削内で、坑井内達成される、請求項１１に記載の方法。
【請求項１８】
流体試料を多相流量計に通過させる工程をさらに含み、前記方法が流体試料を得る掘削の外で行われる、請求項１１に記載の方法。
【請求項１９】
流体試料の決定された光学的性質に基づいてガスクロマトグラフを予め構成する工程であって、ガスクロマトグラフが、流体試料の成分組成を決定するように適合された、前記工程をさらに含む、請求項１１に記載の方法。
【請求項２０】
決定された光学的性質を決定された成分組成と比較する工程であって、好適でない比較が、（１）光学的性質の決定又は（２）成分組成の決定の少なくとも１つにおいて品質の欠如を表す、前記工程をさらに含む、請求項１１に記載の方法。
【請求項２１】
流体試料中の他の標的成分に対する目的の標的成分の量を決定する行為を繰り返す工程；および
標的成分の量を表す概略報告書を作成する工程
をさらに含む、請求項１１に記載の方法。
【請求項２２】
標的成分の量を決定する行為が、（１）質量分率、（２）質量パーセント、（３）モル分率または（４）モルパーセントの少なくとも１つを決定することを含む、請求項１１に記載の方法。
【請求項２３】
流体試料を受け取るための手段；
流体試料の光学的性質を決定するための手段；
光学的性質を使用して参照成分の量を決定するための手段；
流体試料の成分組成を決定するための手段；および
成分組成および参照成分の量を使用して標的成分の量を決定するための手段を備えている、流体アナライザー。
【手続補正２】
【補正対象書類名】明細書
【補正対象項目名】０００２
【補正方法】変更
【補正の内容】
【０００２】
坑井内流体分析（ＤＦＡ）は、物理検層において急速に発達している分野であり、油層評価の中枢になっている。ＤＦＡは、油層が“１つの巨大なタンクの均質炭化水素”を含有する欠陥のあるあまりに楽観的な仮説に対処するものである。有益には、ＤＦＡは、組成勾配を見つけるだけでなく、区画を識別するために使用し得る。その分析は、典型的には、試料流体における成分の濃度または比を決定する地層流体の試料のバルク光学分光法に基づく。
近年、特に、メタン（Ｃ1）、エタン−プロパン−ブタン−ペンタン（Ｃ2−Ｃ5）、およびより重い炭化水素分子（Ｃ6+）の炭化水素および気体組成を決定する高度な光学測定技術が開発された。しかしながら、この坑井内分析技術は、Ｃ2、Ｃ3、Ｃ4、Ｃ5に対する個々の炭化水素部分を定量的に測定せずかつ６よりも多い炭素原子を有する分子は区別がつかない。
異なる材料が異なる吸収特性を有することから、流体試料中にあり得る材料のスペクトルがあるとすれば、何の材料が流体試料を含むかに関して決定することが可能になる。そのために、当該技術において一般に周知の技術に従って、水、ガス、およびいくつかの異なる油のスペクトルが見られる。
水、ガス、粗製油、精製油、および掘削流体（軽油）の吸収スペクトルを用いて、流体試料の成分を決定するために最小二乗分析が使用し得る。あるいはまたはさらに、流体試料の成分を決定するために同様の方法で主成分分析も使用し得る。
“デランピング”と呼ばれるその一プロセスは、成分グループの成分のモル分布を推定するために、地層流体の試料の光吸収スペクトルから組成データを決定するように操作する。その場合、その成分に対する質量留分は、分子量および誘導モル分率から誘導される。
例えば、ブラックオイルデランピングは、組成物と飽和圧との表に基づいて達成され得る。あるいは、デランピングは、精度をより高めるためにデランピングプロセスに対する液体組成および蒸気組成と液相のガス／油比（Ｒs）および／または蒸気相のガス／油比（Ｒv）との表を用いて達成され得る。残念なことに、このようにデータを処理することは、かなりの処理時間を必要とする。従って、デランピングによって、リアルタイムでまたは近いリアルタイムでも組成評価が除外される。
【手続補正３】
【補正対象書類名】明細書
【補正対象項目名】０００３
【補正方法】変更
【補正の内容】
【０００３】
収集したデータを定量的にしかつ分析可能な混合物において対象の成分の量（質量パーセントまたはモルパーセント）についての情報をクライアントに与えるのに可能ないくつかの手法がある：
絶対検量線法において、検出器応答と注入された成分の量とがクロマトグラムまたはスペクトルグラムの定量化に使用し得るキャリブレーションプロットが得られる。しかしながら、この方法は、較正手順の間と実験の間の分析の状態が同一のことが必要であり、世界中の坑井内状態の変動が難題である。
内部標準法は、ある量の“標準”が主モジュールと一緒に行われることが必要である。分析の間、標準は、地層流体と一緒に混合され、分離モジュール（例えば、クロマトグラフ）に注入される。この方法は、坑井内に“標準”を持ち込むこと、地層混合物の試料と混合すること、“標準”応答の識別およびしばしば非常に難題であるその定量化を必要とする。
他の溶離されたピークからの追加内部標準を分割することが困難である場合には、第２のそれに伴うクロマトグラムに制御された混合物が添加されることになる。検出器応答係数を知ることにより、分析可能な成分の量を定量化することが可能である。本方法は内部標準法の課題の一部を含まないが、添加される混合物を坑井内に持ち込むことはまだ必要である。
内部標準化の方法は、すべての成分がカラムから溶離し、検出したと仮定する。すべてのピークの領域の合計は、１００％の全濃度を表し、対象の成分の量は割合から推定され得る。しかしながら、原油としてその複合混合物の分析の場合には、すべての成分がカラムから溶離しない（例えば、樹脂、アスファルテン、および非常に重い飽和成分）。また、すべての溶離されたピークの積分と相加は、分析結果の有意性誤りを導く。
【手続補正４】
【補正対象書類名】明細書
【補正対象項目名】０００５
【補正方法】変更
【補正の内容】
【０００５】
一態様において、本明細書に記載される少なくとも一実施態様は、参照成分および少なくとも１つの他の成分を含有する流体試料を評価するための流体アナライザーを提供する。流体アナライザーは、流体試料の少なくとも一部を受け取るように適合された光アナライザーを含む。光アナライザーは、流体試料の光学的性質を決定しかつ決定された光学的性質に関連した光アナライザー出力信号を送るように構成されている。流体アナライザーは、また、流体試料の少なくとも一部を受け取るように適合された組成アナライザーを含む。組成アナライザーは、流体試料の成分組成を決定しかつ決定された成分組成を表す組成アナライザー出力信号を送るように構成される。流体アナライザーは、さらに、光アナライザーと組成アナライザーの各々と連通したデータプロセッサを含む。データプロセッサは、光アナライザー出力信号と組成アナライザ出力信号を受信するのに応答した少なくとも１つの他の成分の標的成分の量を決定するように構成されている。
いくつかの実施態様において、データプロセッサは、所定アルゴリズムに従って標的成分（ＷiGC）の量を決定するように構成されている。その一アルゴリズムは、下記の関係に従って行うことができる。
【手続補正５】
【補正対象書類名】明細書
【補正対象項目名】０００６
【補正方法】変更
【補正の内容】
【０００６】
【数１】
2013079936.tif 000003
【手続補正６】
【補正対象書類名】明細書
【補正対象項目名】０００７
【補正方法】変更
【補正の内容】
【０００７】
上記の式において、値ＷiGCは、標的成分の量を表し；ＡiGCは、組成アナライザー出力から決定される標的応答領域を表す。値ＡrefGCは、組成アナライザー出力から決定される参照応答領域を表し；ＷrefIFAは、光アナライザー出力信号から決定される参照成分の量を表す。値ＲiGCは、標的成分に対する組成アナライザー検出器応答係数を表し、ＲrefGCは、参照成分に対する組成アナライザー検出器応答係数を表す。
いくつかの実施態様において、光アナライザーは、光吸収分光計を含む。組成アナライザーもまた、スペクトログラムアナライザーおよびクロマトグラフィーアナライザーの１つ以上を含むことができる。いくつかの実施態様において、組成アナライザーは、光アナライザー出力信号に応答して構成可能であり得る。光アナライザーと組成アナライザーの各々もまた、掘削内で、坑井内使用に適合することができて、流体試料がその場で分析される。
いくつかの実施態様において、流体アナライザーは、さらに、流体試料を生じる掘削の外で（例えば、表面で）流体試料の少なくとも一部を受け取るように適合された多相流量計を含む。光アナライザーと組成アナライザーの少なくとも１つは、多相流量計から流体試料を受け取ることができる。
他の態様において、本明細書に記載される少なくとも一実施態様は、参照成分および少なくとも１つの他の成分を含有する流体試料を評価する方法を提供する。方法は、参照成分および少なくとも１つの他の成分を含有する流体試料を受け取ることを含む。流体試料の光学的性質が決定される。参照成分は、測定された光学的性質に応答して定量化される。流体試料の独立組成評価もまた、決定される。標的成分は、独立組成評価および定量化された参照成分に応答して定量化される。
いくつかの実施態様において、流体試料の光学的性質を決定することは、流体試料のスペクトログラムを生成することを含む。独立組成評価を決定することは、また、流体試料のクロマトグラムおよびスペクトログラムの少なくとも１つを生成することを含むことができる。いくつかの実施態様において、独立組成評価を決定することは、さらに、クロマトグラムおよびスペクトログラムの少なくとも１つの各々において標的領域と参照応答領域を決定することを含む。
いくつかの実施態様において、標的成分を定量化することは、所定アルゴリズムに従って達成され得る。その一アルゴリズムは、下記の関係に従って実施され得る。
【手続補正７】
【補正対象書類名】明細書
【補正対象項目名】０００８
【補正方法】変更
【補正の内容】
【０００８】
【数２】
2013079936.tif 000004
【手続補正８】
【補正対象書類名】明細書
【補正対象項目名】０００９
【補正方法】変更
【補正の内容】
【０００９】
上記の式において、値ＷiGCは、標的成分の量を表し；ＡiGCは、決定されたクロマトグラム／スペクトログラムからの標的応答領域を表す。値ＡrefGCは、決定されたクロマトグラム／スペクトログラムからの参照応答領域を表し；ＷrefIFAは、光アナライザー出力信号から決定される参照成分の量を表す。値ＲiGCは、標的成分に対する組成アナライザー検出器応答係数を表し、ＲrefGCは、参照成分に対する組成アナライザー検出器応答係数を表す。
いくつかの実施態様において、方法は、さらに、決定された光学的性質、１つ以上の他の性質、例えばＣ1成分（例えば、ＣＨ4）の質量パーセント；ひとまとめにして、Ｃ2Ｈ6−Ｃ5Ｈ12成分の質量パーセント；ひとまとめにして、Ｃ6+の質量パーセント；地層圧力（例えば、psig）；地層温度（例えば、℃）；ガス油比；およびコンデンセートガス比から誘導することを含む。
いくつかの実施態様において、流体試料を受け取ること、光学的性質を決定すること、参照を定量化すること、独立組成評価を決定することの１つよりも多くの行為は、掘削内で、坑井内達成される。あるいはまたはさらに、流体試料は、多相流量計を通過させることができ、ここで、流体試料を受け取ること、光学的性質を決定すること、参照を定量化すること、および独立組成評価を決定することの行為は掘削の外で達成され得る。
いくつかの実施態様において、さらに、流体試料の決定された光学的性質に応答した組成アナライザーを予め構成することを含むことにより、組成アナライザーは、流体試料の独立組成評価を決定するように適合される。決定された光学的性質を決定された独立組成評価と比較することを含むいくつかの実施態様において、好適でない比較は、光学的性質の決定と独立組成評価の決定の少なくとも１つの品質の欠如を表す。いくつかの実施態様において、方法は、少なくとも一つの他の成分の他の標的のための標的成分を定量化すること；および定量化された標的成分を表す概略報告書を作成することの行為を繰り返すことを含む。いくつかの実施態様において、定量化することの行為は、質量分率およびモル分率または 百分率の少なくとも１つを決定することを含む。
さらに他の態様において、本明細書に記載される少なくとも一実施態様は、参照成分および少なくとも１つの他の成分を含有する流体試料を評価する流体アナライザーを提供する。流体アナライザーは、参照成分および少なくとも１つの他の成分を含有する流体試料を受け取るための手段；流体試料の光学的性質を決定するための手段；決定された光学的性質に応答して参照成分を定量化するための手段；流体試料の独立組成評価を決定するための手段；および独立組成評価と定量化された参照成分に応答した標的成分を定量化するための手段を含む。
さらに、以下の詳細な説明において本発明が本発明の例示的実施態様の限定されない例として示された複数の図面を参照して記載され、ここで、類似符号は図面のいくつかの図にわたって同様の部分を表している。
【手続補正９】
【補正対象書類名】明細書
【補正対象項目名】００１３
【補正方法】変更
【補正の内容】
【００１３】
いくつかの実施態様において、ツール１００は、また、坑井内流体分析モジュール１１４、例えば、流体試料の少なくとも一部を受け取るように適合された光学分析モジュールを含む。光アナライザーは、流体試料の光学的性質を決定しかつ光学的性質に関連があるまたは光学的性質を表す出力信号を送るように構成され得る。その光アナライザーの例は、ＭＤＴツールスイートのＣｏｍｐｏｓｉｔｉｏｎ Ｆｌｕｉｄ Ａｎａｌｙｚｅｒ（ＣＦＡ）モジュールである。光学分析モジュール１１４は、ツール１００に流れ込むにつれて、流体を分析する近赤外光吸収分光測定と蛍光放出測定を行うように構成されている。光学分析モジュール１１４は、流体が光学分析モジュール１１４に流れ込むにつれて、それぞれ、ガス−留分濃度を測定しかつ流体タイプを識別するために使用し得る。
特に、光学分析モジュール１１４に流れ込む単相油層ガスは、近赤外光吸収分光測定法を用いて分析して、以下の１つ以上の濃度をリアルタイムで決定する：（ｉ）メタン（Ｃ1）；（ｉｉ）エタン−プロパン−ブタン−ペンタン（Ｃ2−Ｃ5）；および（ｉｉｉ）より重い炭化水素分子（Ｃ6+）。そのアナライザーの例は、“Ｅｎｈａｎｃｅｄ Ｄｏｗｎｈｏｌｅ Ｆｌｕｉｄ Ａｎａｌｙｓｉｓ”と題する米国特許第７,６３７,１５１号明細書に記載されており、Ｓｃｈｌｕｍｂｅｒｇｅｒ Ｔｅｃｈｎｏｌｏｇｙ Ｃｏｒｐｏｒａｔｉｏｎに譲渡され、全体として本願明細書に組み込まれている。
少なくともいくつかの実施態様において、ツール１００は、第２の流体分析モジュール１１６を含む。例えば、第２の流体分析モジュールは、組成アナライザー、例えば坑井内ガスクロマトグラフィーモジュール１１６を含有することができる。組成アナライザーは、流体試料の成分組成を決定しかつ決定された組成を表す出力信号を送るように構成されている。ガスクロマトグラフィーを用いる実施態様の場合、ガスクロマトグラフィーモジュール１１６は、ツール１００のフローライン１１２部分の中で利用できる試料採取された地層流体のクロマトグラムを得るように構成されている。その装置の例は、“Ｗｉｒｌｅｌｉｎｅ Ｄｏｗｎｈｏｌｅ Ｇａｓ Ｃｈｒｏｍａｔｏｇｒａｐｈ ａｎｄ Ｄｏｗｎｈｏｌｅ Ｇａｓ Ｃｈｒｏｍａｔｏｇｒａｐｈｙ Ｍｅｔｈｏｄ”と題する米国特許出願公開第２０１０／００１８２８７号明細書および“Ｓｅｌｆ Ｃｏｎｔａｉｎｅｄ Ｃｈｒｏｍａｔｏｇｒａｐｈｙ Ｓｙｓｔｅｍ”と題する米国特許第７,３８４,４５３号明細書に記載されており、各々Ｓｃｈｌｕｍｂｅｒｇｅｒ Ｔｅｃｈｎｏｌｏｇｙ Ｃｏｒｐｏｒａｔｉｏｎに譲渡され、全体として本願明細書に組み込まれている。
【手続補正１０】
【補正対象書類名】明細書
【補正対象項目名】００１６
【補正方法】変更
【補正の内容】
【００１６】
比較的少量の試料は、抜き取られた地層流体の評価の基準として使用することができる。例示的実施態様において、システム２００は、図１の組成流体アナライザー（ＣＦＡ）モジュール１１４と同様に機能することができるように、流体分析モジュール２１４を含むが、以前の例のように坑井内の要求によって制限される必要がない。少なくともいくつかの実施態様において、流体分析モジュール２１４は、例えば、システム２００に流れ込む流体を分析するための近赤外光吸収分光測定法および少なくともいくつかの実施態様においては、蛍光放出測定を行うように構成された光学吸収分光計を含む。坑井内ツール１００（図１）のように、流体が流体分析モジュール２１４に流れ込むのにつれて、それぞれ、ガス−留分濃度を決定しかつ流体タイプを識別するために流体分析モジュール２１４が使用し得る。したがって、流体分析モジュール２１４は、以下の１つ以上の濃度をリアルタイムで決定するために使用し得る：（ｉ）メタン（Ｃ1）；（ｉｉ）エタン−プロパン−ブタン−ペンタン（Ｃ2−Ｃ5）；および（ｉｉｉ）より重い炭化水素分子（Ｃ6+）。
少なくともいくつかの実施態様において、システム２００は、第２の流体分析モジュール２１６、例えば組成アナライザー２１６を含む。例えば、第２の流体分析モジュール３１６は、ガスクロマトグラフィーモジュール２１６を含むことができる。ガスクロマトグラフィーモジュール２１６は、システム２００のフローライン２１０部分から得られる試料採取された地層流体のクロマトグラムを得るように構成されている。ガスクロマトグラフィーモジュール２１６は、採取した地層流体の一部の容積を減少させ、それによって、採取した地層流体の圧力が低下して、ガスクロマトグラフィー分析の支持体中の気相を促進させる容積測定チャンバ（例えば、ピストンチャンバ）を含むことができる。
【手続補正１１】
【補正対象書類名】明細書
【補正対象項目名】００１７
【補正方法】変更
【補正の内容】
【００１７】
第１の流体アナラザーモジュールと第２の流体アナラザーモジュール２１４、２１６の各々は、分析される流体試料の関連の検出した物理的性質を表すそれぞれの出力信号を送る。少なくともいくつかの実施態様において、流体アナライザモジュール２１４、２１６の１つ以上からの出力信号がデータ処理システム２１８に送られる。
データ処理システム２１８は、表面位置に、例えば、掘削１０２の近傍にまたは他の遠隔位置に位置することができる。例えば、海底面配置において、処理システム２１８は、海面リグ、例えば容器上に位置してもよい。ツール２００と処理システム２１８、例えばテレメトリ２２４の間の適切な通信手段は、１つ以上の流体アナライザモジュール２１４、２１６とデータ処理システム２１８の間の通信を確立するために設けることができる。例えば、通信は二方向になり、アナライザー出力信号が一方向にはデータ処理システム２１８に伝送され、他の方向には制御信号がアナライザーの１つ以上に送られる。
少なくともいくつかの実施態様において、データ処理システム２１８は、光アナライザーから出力信号を、また、計算アナライザーから出力信号を受け取ることに応答した流体試料中の各種成分の標的成分の量を決定するように構成されている。データ処理システム２１８は、メモリ内に記憶されかつデータ処理システム２１８に利用できる予めプログラムされた指示に従って１つ以上のプロセスを実行するように構成され得る。
また、データ処理システム１１８は、光学分析モジュール２１４とガスクロマトグラフィーモジュール２１６双方からの結果を合わせて、地層流体試料に対する定量的計算分析を得るように構成され得る。有益には、その結果は、内部標準を必要とせずに得ることができる。内部標準の追加された質量、サイズおよび複雑さを必要とせずにその定量的結果を得る能力は、本明細書に記載される装置および技術により達成可能であり、坑井内分析には非常に望ましいものである。
【手続補正１２】
【補正対象書類名】明細書
【補正対象項目名】００１８
【補正方法】変更
【補正の内容】
【００１８】
いくつかの実施態様において、システム２００は、多相サンプラー２２６を含む。多相サンプラー２２６は、フローライン２１０と流体連通しており、熱力学的平衡を維持しつつ、それによって、正確なフローライン圧力および温度条件を保存しつつ、フローラインから直接に、ライン条件で多相流体の試料を捕捉するように構成されている。その試料採取によって、収集した流体試料が現場で分析されることが可能である。このようにフローラインからの流体を試料採取することにより、流体試料のガス油比と組成完全性が保存される。
多相サンプラー２２６の一例は、米国特許第６,９９３,９７９号明細書に記載されており、Ｓｃｈｌｕｍｂｅｒｇｅｒ Ｔｅｃｈｎｏｌｏｇｙ Ｃｏｒｐｏｒａｔｉｏｎに譲渡され、全体として本願明細書に組み込まれている。装置例は、可変ベンチュリノズルを有する多相質量流量計を含む。流体の試料は、多相サンプラー２２６のベンチュリスロートの付近で得ることができる。少なくともいくつかの実施態様において、光吸収測定とガスクロマトグラフィー測定双方が、多相サンプラー２２６のベンチュリスロートの近い地層流体ストリームから得られる。例えば、光アナライザーおよびガスクロマトグラフィーモジュールの１つ以上が多相サンプラー２２６内に組み込まれ得る。
表面実施態様において、分析プロセスは、１つ以上の手動工程を含むことができる。例えば、技術者は、組成アナライザー、例えばガスクロマトグラフィーモジュール２１６によって、組成物評価の試料採取を手動で行うことができる。光学測定は、坑井から得られる炭化水素の流動流と接触し得る光アナライザー２１４から得ることができる。
【手続補正１３】
【補正対象書類名】明細書
【補正対象項目名】００１９
【補正方法】変更
【補正の内容】
【００１９】
次に図３を参照すると、流体分析システム３００の実施態様の機能ブロック図がさらに詳細に示されている。システム３００は、光アナライザー３１４、組成アナライザー３１６およびデータプロセッサ３１８を含む。光アナライザーは、流体試料３２０を受け取る。本明細書に記載される実施態様において、流体試料は、炭化水素ベースであるが、試料採取時には組成的に不明である。
いくつかの実施態様において、光アナライザー３１４は、光吸収分光計を含有する。吸収スペクトルは、例えば、可視から近赤外領域において流体の試料の低分解能組成分析を行うために使用し得る。アナライザー３１４に流れ込むにつれて可視および近赤外光の１つ以上が流体組成物を定量化する。流体を通って選択された波長に向けられる検出器のアレイに光スペクトルが透過する。流体によって吸収される光量は、その組成に左右される。測定された吸収スペクトルは、ユニークな吸収スペクトル、例えば、Ｃ1、Ｃ2−Ｃ5、Ｃ6+、ＣＯ2およびＨ2Ｏに対するスペクトルの線形結合として表され、各分子グループの質量パーセントの決定が可能である。光学アナライザー３１４の一例は、上で導入されたＣＦＡモジュールである。
他の変形例において、光アナライザー３１４は、ＭＤＴツールスイートのライブ流体アナライザー（ＬＦＡ）モジュールであり、該モジュールには吸収分光計が組み込まれて、試料中の油層掘削流体の量が定量化される。ＬＦＡモジュール内の光センサは、複数の波長、例えば、１６７０ｎｍや１７２０ｎｍで光吸収を測定するためにこの原理を用いる。
光モジュール３１４は、試料採取された流体３２０の分析から決定される測定されたおよび／または算出された結果を表す出力信号を送る。例えば、出力は、参照成分Ｗref、例えば、Ｃ1の質量、ガス油比（例えば、ｓｃｆ／ｓｔｂ）の表示、および他の情報、例えば圧力と温度の情報（例えば、Ｐｓｉｇ、℃）の１つ以上を含有することができる。そのためには、光アナライザー３１４は、他のセンサを含み、例えば、流体試料の１つ以上の圧力と温度の１つ以上および局部的な環境が検出される。光モジュール３１４からの出力データの例を表１に示す。
【手続補正１４】
【補正対象書類名】明細書
【補正対象項目名】００２１
【補正方法】変更
【補正の内容】
【００２１】
いくつかの実施態様において、組成アナライザー３１６は、試料採取された地層流体のクロマトグラムを得るように構成されている。組成アナライザー３１６は、質量感受性クロマトグラフィー検出器（例えば、ガスクロマトグラフィーに対してヘリウムイオン化検出器）であり得る。地層流体分析に現在適合しているガスクロマトグラフィー技術の一例は、米国特許第７,３８４,４５３号明細書に記載されており、Ｓｃｈｌｕｍｂｅｒｇｅｒ Ｔｅｃｈｎｏｌｏｇｙ Ｃｏｒｐｏｒａｔｉｏｎに譲渡され、全体として本願明細書に組み込まれている。炭化水素の形成の評価の間、試料採取された地層流体の少なくとも一部は、試料採取チャンバにおいて貯蔵され得る。試料は体積変化を受け、例えば、油溶性ガスと液体炭化水素相を分離する。いくつかの実施態様において、集合的な液体炭化水素（油）ケースに存在し得る水は分離することができる。個別モードの分析におけるガスクロマトグラフィーモジュール１１６は、流体試料中の個々の炭素成分を表す出力を送る。
ガスクロマトグラフィー測定を用いると、地層混合物中の成分を区別するとともに適切な検出器で分離および同定することが可能である。その検出器の例は、“Ｄｏｗｎｈｏｌｅ Ｓａｍｐｌｅ Ａｎａｌｙｓｉｓ Ｍｅｔｈｏｄ”と題する同時係属中の米国特許出願第１２／８７２,４５２号明細書、および米国特許出願公開第２０１０／０１２７１６３号明細書に示されており、各々がＳｃｈｌｕｍｂｅｒｇｅｒ Ｔｅｃｈｎｏｌｏｇｙ Ｃｏｒｐｏｒａｔｉｏｎに譲渡され、全体として本願明細書に組み込まれている。
ガスクロマトグラフィーシステム３１６の動作において、カラムタイプおよび構成、温度プログラム、キャリヤガス流量および圧力、インジェクタ温度および検出器温度を含む標準分析プロトコールが確認に用いられる。いくつかの実施態様において、１つよりも多いクロマトグラフィシステムとプロトコールを、ガスと液体炭化水素相留分の分析に用いて、分解能および精度を最大にすることができる。
データプロセッサ３１８は、光アナライザー３１４と組成アナライザー３１６の各々が送る出力データを受信する。データプロセッサ３１８は、受信データに応答した流体試料中の各種成分の標的成分３２６の量を決定するように構成されている。少なくともいくつかの実施態様において、データプロセッサ３１８は、下記の式に従って標的成分Ｗｉの質量パーセントを算出する：
【手続補正１５】
【補正対象書類名】明細書
【補正対象項目名】００２２
【補正方法】変更
【補正の内容】
【００２２】
【数３】
2013079936.tif 000005
【手続補正１６】
【補正対象書類名】明細書
【補正対象項目名】００２４
【補正方法】変更
【補正の内容】
【００２４】
流体試料の物理的性質（例えば光学的性質）が４１０で決定される。特に、光学的性質は、参照成分と標的成分の１つ以上を表し得る。光学的性質を決定するのに、流体試料が、例えば試料採取ツール１００内のフローラインを介して、光モジュール１１４、２１４、３１４に送られ得る。少なくともいくつかの実施態様において、光学的性質は、参照成分ＷrefIFA４１５の質量パーセントを決定するために使用し得る。少なくともいくつかの実施態様において、試料採取された流体が標的成分（分析物）、例えば参照成分の光学的同定を容易にするために試薬と混合し得ることが理解される。その技術は、平衡応答が達成されるまで試薬と試料採取された流体が混合される連続フロー、滴定分析およびインジェクションフロー分析の１つ以上を含むことができる。
流体試料の他の組成分析は、４２０で行われる。例えば、組成分析は、参照成分と標的成分の表示を含む、試料のクロマトグラムを決定するために、クロマトグラフィー、例えばガスクロマトグラフィーを含むことができる。流体試料の少なくとも一部は、例えば、ガスクロマトグラフを含む、組成アナライザーに送られる。組成アナライザーの出力は、参照成分および、標的成分を含む少なくとも１つの他の成分のクロマトグラフィー結果を含む、試料採取された流体のクロマトグラムを含むことができる。そのクロマトグラフィー結果は、ある成分を表すピークの応答を有する曲線を含むことができる。
さらに詳細には、液体またはガスが試料チャンバ内で膨張しかつ蒸発し、例えば、その方法が米国特許第７,９２０,９７０号明細書に記載されており、この明細書はＳｃｈｌｕｍｂｅｒｇｅｒ Ｔｅｃｈｎｏｌｏｇｙ Ｃｏｒｐｏｒａｔｉｏｎに譲渡され、全体として本願明細書に組み込まれている。膨張後、バルブによって蒸発した混合物をクロマトグラフィカラムに注入され、例えば、カラムの壁上に堆積された固定相に対する親和性の差のため、対象成分間の分離が達成される。分離した成分は、検出のための検出器に溶離する。
【手続補正１７】
【補正対象書類名】明細書
【補正対象項目名】００２５
【補正方法】変更
【補正の内容】
【００２５】
炭化水素試料についてのアプリオリ知識なしで、標準プロトコールを進めなければならない。例えば、試料が乾燥ガスであるかどうかに関係なく、主としてＣ7までの成分またはブラックオイルと、完全にはＣ36以上の成分で標準プロトコールを進めなければならない。有益には、光アナライザー１１４によって得られた流体試料の評価結果は、分解能および精度を改善するためにガスクロマトグラフィーを調整し、さもなければ最適化するために使用し得る。調整の可能性なしのその標準プロトコールによる分析は、不必要により長い分析時間になる。ロギングの間の分析のための長い待ち時間は、例えば、業務のコストがより高く変わるだけでなく、坑井内に入れているツールの危険も増加する。より長い分析時間は、また、キャリヤガスのような消耗品の使用増加を生じ、限られた供給品だけが存在するので、坑井内環境には特に重要な問題である。
それぞれの各成分、例えば、参照成分や標的成分と関連したクロマトグラムの曲線下の領域が決定され得る。例えば、流体試料のクロマトグラムを表すガスクロマトグラフ１１６、２１６、３１６の出力は、処理するためのデータプロセッサ１１８、２１８、３１８に通過させることができる。処理は、４２５で参照成分、標的成分、および流体試料中に存在する他の成分を表す１つ以上のピークの識別を含むことができる。あるいはまたはさらに、処理は、一つ以上のピーク、例えば、ＡiGC、ＡrefGCと関連したクロマトグラムの曲線下で領域を決定することを含むことができる。
光アナライザー（例えば、参照成分、例えば、Ｃ1の質量パーセント）からおよび組成アナライザー（例えば、クロマトグラム、参照成分、例えば、Ｃ1を含む、対象の成分に対応するクロマトグラフィーピーク下の領域が決定され得る）からの出力信号がデータ処理システムに送られる。標的成分は、例えば、４３０でその質量パーセントＷiに従って定量化される。標的成分の定量化は、所定の関係に従って光アナライザーＷrefIFAおよび組成アナライザーから受け取られる信号、ＡiGC、ＡrefGCに応答する。その関係は、図３に関して、上で記載されている。参照成分ＲrefGCと標的成分ＲiＧＣの各々のガスクロマトグラフを応答係数とともに既知の量のＷrefIFA、ＡiGC、ＡrefGCで置き換えて、式をあてはめることにより、内部標準を必要とすることなく標的成分の質量パーセントＷiの定量化が得られる。少なくともいくつかの実施態様において、獲得された化学情報は、地層混合物を確認する最終報告に提示することができる。
【手続補正１８】
【補正対象書類名】明細書
【補正対象項目名】００２６
【補正方法】変更
【補正の内容】
【００２６】
図５は、流体試料を分析する方法５００の他の実施態様を示す流れ図であり、流体試料中の複数の標的成分が定量化されかつ記録される。方法５００は、例えば、図４に関して上記の方法４００を繰り返すことによって個々の流体試料の１つ以上の標的を定量化するために使用し得る。
参照成分と少なくとも１つ他の成分を有する分析物が５０５で受け取られる。流体試料の光学的性質が５１０で決定される。流体試料の参照成分が５１５でＷrefIFAに定量化される。クロマトグラムが５２０で決定される。第１の標的ＡiGCと参照ＡrefGCの応答領域が５２５で決定される。第１の標的が５３０でＷiGCに定量化される。第１の標的の量が５３５で記録される。
方法が追加の標的のために繰り返さなければならないかは、５４０で決定される。例えば、標的成分の所定のリストが提供されるかあるいは同定され得る。方法が繰り返される程度まで、指数付き変数ｉを５４５で増加することができ、標的の所定のリストにおける次の標的Ａi+1GCの応答領域が５５０で測定される。次の標的Ｗi+1GCの量が５３０で決定され、同じ式をあてはめ、次の標的Ａi+1GCに従って更新され、さらに次の標的Ｒi+1GCに適切な検出器応答係数を用いている。次の標的Ｗi+1に対する結果は５３５で記録され、さらに標的が残らなくなるまで方法が繰り返される。その時、結果は、例えば、５５０で報告書に作成され得る。
いわゆるデランピング技術は、光学流体分析モジュールから得られるＣ3、Ｃ5（またはＣ2−Ｃ5）およびＣ6+留分を確認するために使用し得る。その技術は、米国特許出願公開第第２００９／０１５８８１５号明細書に記載されており、Ｓｃｈｌｕｍｂｅｒｇｅｒ Ｔｅｃｈｎｏｌｏｇｙ Ｃｏｒｐｏｒａｔｉｏｎに譲渡され、全体として本願明細書に組み込まれている。デランピング技術は、多くの位置と油層から長年の試料分析の間に集められたデータベースに基づいている。坑井内で達成されるにしても表面で達成されにしても、本明細書に記載される技術は、光アナライザー結果とリアルタイムまたは少なくともリアルタイムに近い結果を可能にするその場流体分析のためのガスクロマトグラフィーモジュールとを組み合わせる。リアルタイム結果を得る能力は、他のプロセス改善、例えば品質管理やガスクロマトグラフィーシステムのハードウェア調整の機会を可能にして、短時間に対象の成分の間のより良好な分解能を得る。図６は、流体アナライザーの一実施態様から得られる流体試料の分析結果の対数プロットを示すグラフであり、デランピング分析を用いて得られた同じ流体試料の結果と比較して良好な一致が示されている。
【手続補正１９】
【補正対象書類名】明細書
【補正対象項目名】００２８
【補正方法】変更
【補正の内容】
【００２８】
分析物をリアルタイムで、または少なくともリアルタイム近くで確認することによって、クロマトグラフィーアナライザーをさらに分析物の確認に応答する６２５で調整することができる。光アナライザーからの結果は、流体試料の組成に関して予想指標として使用することができる。分析物のクロマトグラムは、６３０で決定される。クロマトグラムのそれぞれのピーク下の応答領域は、標的成分ＡiGCと１つ以上の参照成分ＡrefGCに対して６３５で決定される。標的ＷiGCは、定量化された参照ＷrefＩＦＡおよび標的ＡiGCと参照ＡrefGCの決定された応答領域に応答する６４０で定量化される。
図８の流れ図において例示される別の実施態様において、実施例方法７００は、光学分析およびガスクロマトグラフィー分析を用いて流体試料を分析するために識別され、ガスクロマトグラフが流体試料から得られる光学的性質に応答して調整される。特に、参照成分と少なくとも１つの他の成分を有する分析物（例えば、試料流体）は、７０５で受け取られる。分析物の光学的性質は、７１０で決定される。分析物は、決定された光学的性質に応答する７１５で確認される。クロマトグラフィーアナライザーは、分析物確認に応答する７２０で調整される。分析物のクロマトグラムは、クロマトグラフィーアナライザーを調整した後に７２５で測定決定される。
あるいはまたはさらに、そのガスクロマトグラフィー応答予測は、獲得データの品質の評価に使用し得る。図９は、光学分析およびクロマトグラフィーの結果が比較される品質管理のためのプロセス８００の実施態様を示すフロー流れ図である。
参照成分と少なくとも１つの他の成分を有する流体試料は、８０５で受け取られる。試料の光学的性質は、８１０で決定される。試料は、決定された光学的性質に応答する８１５で確認される。試料のクロマトグラムは、８２０で決定される。光アナライザーからおよびクロマトグラフから得られる結果は、試料に対して８２５で比較される。充分な一致が８３０で、例えばある所定の許容量の範囲内である場合には、本明細書に記載される技術のいずれかに従って流体試料の分析が８３５で進行する。さもなければ、起こり得る品質管理問題が識別されるかあるいは８４０で停止する。
【手続補正２０】
【補正対象書類名】図面
【補正対象項目名】図４
【補正方法】変更
【補正の内容】
【図４】
2013079936.tif 000006